(57)【要約】【課題】放射パネルの表面温度を室内空気の露点温度以下に下げても結露を抑制可能とする。【解決手段】放射空調に用いる放射パネルは、放射パネルの表面と裏面との間に設けられた、冷熱媒を通過させる流路と、表面と裏面とを貫通し、室内空気を循環させ且つ温度及び湿度を調節した調和空気の吹出し口となる通気孔とを有する。【選択図】図２
2015105787.tif 000002
【特許請求の範囲】
【請求項１】
放射空調に用いる放射パネルであって、
前記放射パネルの表面と裏面との間に設けられた、冷熱媒を通過させる流路と、
前記表面と前記裏面とを貫通し、室内空気を循環させ且つ温度及び湿度を調節した調和空気の吹出し口となる通気孔と、
を有する放射パネル。
【請求項２】
前記通気孔は、前記表面及び前記裏面の少なくとも一方に絞り加工を施して形成した凹部の底面を他面と圧着するとともに、圧着する領域の少なくとも一部を穿孔することにより設けられる
請求項１に記載の放射パネル。
【請求項３】
前記流路は、前記冷熱媒である水を前記表面と前記裏面との間に直接通過させられるように設けられる
請求項１又は２に記載の放射パネル。
【請求項４】
前記通気孔の一部は、前記放射パネルの周縁に沿ってスリット状に設けられる
請求項１から３のいずれか一項に記載の放射パネル。
【請求項５】
前記スリット状の通気孔は、前記調和空気の吹出し方向が前記放射パネルの外周に向かうよう切起こし曲げ加工が施される
請求項４に記載の放射パネル。
【請求項６】
前記放射パネルは略矩形であり、前記流路内の当該放射パネルの対辺に、当該流路に偏りなく冷熱媒を流すためのサプライヘッダ及びリターンヘッダを有する
請求項１から５のいずれか一項に記載の放射パネル。
【請求項７】
放射空調に用いる放射パネルであって、前記放射パネルの表面と裏面との間に設けられた、冷熱媒を通過させる流路と、前記表面と前記裏面とを貫通し、室内空気を循環させ且つ温度及び湿度を調節した調和空気の吹出し口となる通気孔とを有する放射パネルと、
前記室内空気を取り入れると共に前記放射パネルの前記通気孔へ調和空気を送る、放射対流併用空調機又はファンコイルと、
を備える放射空調システム。
【請求項８】
前記放射パネルの表面温度よりも通気孔から吹き出す調和空気の露点温度の方が低くなるように温湿度制御する制御部をさらに備える
請求項７に記載の放射空調システム。
【請求項９】
前記制御部は、運転開始時、冷房時において室内の露点温度と前記放射パネルの表面温度との温度差が所定の閾値以上の場合、又は暖房時において室温と前記放射パネルの表面温度との温度差が所定の閾値以上の場合、通気孔からの前記調和空気の吹出し量がその他の場合よりも増加するように制御する
請求項７又は８に記載の放射空調システム。
【発明の詳細な説明】
【技術分野】
【０００１】
本発明は、放射パネル及び放射空調システムに関する。
【背景技術】
【０００２】
従来、放射パネルの形状について、様々な提案がなされている。例えば、複数枚の平板を重ね合わせ、平板間には温水や冷水などの液体を通す回路と、補強用回路とを形成した輻射パネルが提案されている（例えば、特許文献１）。また、放射空調と対流空調とを組み合わせた空調システムも提案されている（例えば、特許文献２から４）。また、パネルの全面にわたって設けられた穴から空気を流出させる空気式の放射空調システムも提案されている（例えば、特許文献２、５及び６）。
【先行技術文献】
【特許文献】
【０００３】
【特許文献１】特開平８−１４５９５号公報
【特許文献２】特開平８−１７８３７２号公報
【特許文献３】特開２００６−２１４６９６号公報
【特許文献４】特開２００６−２１４６９７号公報
【特許文献５】特開２０１２−７８５２号公報
【特許文献６】特開２０１２−９３０４３号公報
【発明の概要】
【発明が解決しようとする課題】
【０００４】
従来、放射空調においては、放射パネルの結露を防止するため、放射パネルの表面温度が室内空気の露点温度以下に下がらないように制御していた。そこで、本発明は、放射パネル又は放射空調システムにおいて、表面温度を室内空気の露点温度以下に下げても結露を抑制可能とすることを目的とする。
【課題を解決するための手段】
【０００５】
本発明の一側面に係る、放射空調に用いる放射パネルは、放射パネルの表面と裏面との間に設けられた、冷熱媒を通過させる流路と、表面と裏面とを貫通し、室内空気を循環させ且つ温度及び湿度を調節した調和空気の吹出し口となる通気孔とを有する。
【０００６】
このようにすれば、例えば冷房時には、流路を通過する冷熱媒により放射パネルを冷却すると共に、放射パネルの通気孔から調和空気を吹き出すことができる。よって、放射パネルの表面温度を、放射パネル周囲に通気孔から吹き出した調和空気の露点温度程度まで下げても結露を抑制できるようになる。すなわち、表面温度を室内空気の露点温度以下に下げても結露を抑制可能となる。
【０００７】
また、通気孔は、表面及び裏面の少なくとも一方に絞り加工を施して形成した凹部の底面を他面と圧着するとともに、圧着する領域の少なくとも一部を穿孔することにより設けられるようにしてもよい。このようにすれば、内部に流路を有する放射パネルを、コストを抑えつつ容易に製造することができる。
【０００８】
また、流路は、冷熱媒である水を表面と裏面との間に直接通過させるように設けられるようにしてもよい。このようにすれば、放射パネルは冷熱媒と空調対象との間で効率よく熱交換を行うことができるようになる。
【０００９】
また、通気孔の一部は、放射パネルの周縁に沿ってスリット状に設けられるようにしてもよい。このようにすれば、通気孔から吹き出す空気によって空調対象の室内空気が放射パネルの表面又は側面に誘引されるのを抑制することができる。
【００１０】
さらに、スリット状の通気孔は、調和空気の吹出し方向が放射パネルの外周に向かうよう切起こし曲げ加工が施されるようにしてもよい。このような構成によっても、通気孔から吹き出す空気によって空調対象の空気が放射パネルの表面又は側面に誘引されるのを抑制することができる。
【００１１】
また、放射パネルは略矩形であり、流路内の当該放射パネルの対辺に、当該流路に偏りなく冷熱媒を流すためのサプライヘッダ及びリターンヘッダを有するようにしてもよい。このようにすれば、放射パネルの温度に偏りが生じるのを抑制することができる。
【００１２】
本発明の他の側面に係る放射空調システムは、放射空調に用いる放射パネルであって、放射パネルの表面と裏面との間に設けられた、冷熱媒を通過させる流路と、表面と裏面とを貫通し、室内空気を循環させ且つ温度及び湿度を調節した調和空気の吹出し口となる通気孔とを有する放射パネルと、室内空気を取り入れると共に放射パネルの通気孔へ調和空気を送る、放射対流併用空調機又はファンコイルとを備える。
【００１３】
このような放射空調システムによれば、例えば冷房時には、流路を通過する冷熱媒により放射パネルを冷却すると共に、放射パネルの通気孔から調和空気を吹き出すことができる。よって、放射パネルの表面温度を、放射パネル周囲に通気孔から吹き出した調和空気の露点温度程度まで下げても結露を抑制できるようになる。すなわち、表面温度を室内空気の露点温度以下に下げても結露を抑制可能となる。
【００１４】
また、放射空調システムは、放射パネルの表面温度よりも通気孔から吹き出す調和空気の露点温度の方が低くなるように温湿度制御する制御部をさらに備えるようにしてもよい。このようにすれば、結露を抑制できる範囲内で放射パネルの表面温度を制御することができる。
【００１５】
さらに、制御部は、運転開始時、冷房時における室内の露点温度と前記放射パネルの表面温度との温度差が所定の閾値以上の場合、又は暖房時における室温と前記放射パネルの表面温度との温度差が所定の閾値以上の場合、通気孔からの調和空気の吹出し量が通常時よりも増加するように制御するようにしてもよい。このようにすれば、運転開始時又は空調負荷が所定の閾値以上の場合に、立ち上がり時間を短縮する（空調対象空間の温度を急速に所定の温度に到達させる）ことができるとともに結露を防止することができ、且つ空調対象空間の上下温度差を小さくすることができる。
【００１６】
なお、上記課題を解決するための手段の内容は、本発明の課題や技術的思想を逸脱しない範囲で可能な限り組み合わせることができる。
【発明の効果】
【００１７】
本発明によれば、放射パネル又は放射空調システムにおいて、表面温度を室内空気の露点温度以下に下げても結露を抑制可能となる。
【図面の簡単な説明】
【００１８】
【図１】第１の実施形態に係る放射空調システムの概略構成図である。
【図２】放射パネルの一例を示す斜視図である。
【図３】放射パネルの一例を示す断面図である。
【図４Ａ】放射パネルの製造方法の一例を説明するための図である。
【図４Ｂ】他の例に係る放射パネルの製造方法を説明するための図である。
【図５】放射空調システムの作用を説明するための図である。
【図６Ａ】冷房運転時の制御の一例を示す処理フロー図である。
【図６Ｂ】冷房運転時の制御の一例を示す処理フロー図である。
【図７Ａ】暖房運転時の制御の一例を示す処理フロー図である。
【図７Ｂ】暖房運転時の制御の一例を示す処理フロー図である。
【図８】第２の実施形態に係る放射空調システムの概略構成図である。
【図９】第３の実施形態に係る放射空調システムの概略構成図である。
【図１０】冷房運転時の制御の一例を示す処理フロー図である。
【図１１】暖房運転時の制御の一例を示す処理フロー図である。
【図１２】第４の実施形態に係る放射空調システムの概略構成図である。
【図１３】冷房運転時の制御の一例を示す処理フロー図である。
【図１４】暖房運転時の制御の一例を示す処理フロー図である。
【図１５】放射パネルの変形例を示す平面図である。
【図１６】放射パネルの変形例を示す断面図である。
【図１７】放射パネルの変形例を示す斜視図である。
【図１８】放射パネルの変形例を示す断面図である。
【図１９】放射パネルの変形例を示す分解斜視図である。
【発明を実施するための形態】
【００１９】
以下、本発明に係る放射空調システムの実施の形態について、図面に基づいて説明する。なお、本実施の形態に示す放射空調システムは一例であり、本発明は、実施形態の構成には限定されない。
【００２０】
＜第１の実施形態＞
図１は、第１の実施形態に係る放射空調システム１の概略構成を示す図である。放射空調システム１は、放射対流併用空調機１１と、吸気路１２と、送風路１３と、送水路１４と、放射パネル１５とを含む。また、室２は空調対象の空間であり、本実施形態では室２の天井に放射パネル１５、及び吸気路１２の端部である吸気口２１が設けられている。また、室２は、空調の目標温度（設定温度）を設定するためのコントローラ２２、室２内の温度を測定する室温センサ２３を備えている。なお、図１において破線の矢印は空気の流れを示している。
【００２１】
吸気路１２は、室２の吸気口２１及び放射対流併用空調機１１と接続されており、室２内の空気を放射対流併用空調機１１へ取り入れる。また、放射対流併用空調機１１は、吸気路１２から取り入れた吸込み空気の温度を計測する吸込空気温度センサ１２１及び吸込み空気の湿度を計測する吸込空気湿度センサ１２２を有する。なお、吸込空気温度センサ１２１及び吸込空気湿度センサ１２２は吸気経路上に存在すればよく、吸気路１２が、吸込空気温度センサ１２１及び吸込空気湿度センサ１２２を有するようにしてもよい。
【００２２】
放射対流併用空調機１１は、放射空調と対流空調の同時運転が可能な空調機である。放射対流併用空調機１１は、送風機（ファン）１１１を有しており、吸気路１２から取り入れられた空気を空気熱交換器１１２で処理（加熱又は冷却、及び加湿又は除湿）し、送風路１３へ送る。また、放射対流併用空調１１は、吹出し空気の温度を計測する吹出空気温度センサ１３１及び吹出し空気の湿度を計測する吹出空気湿度センサ１３２を有する。なお、吹出空気温度センサ１３１及び吹出空気湿度センサ１３２は送風経路上に存在すればよく、送風路１３が、吹出空気温度センサ１３１及び吹出空気湿度センサ１３２を有するようにしてもよい。また、放射対流併用空調機１１は、放射用水熱交換器１１３を有しており、放射対流併用空調機１１と放射パネル１５とを循環する水等の冷熱媒を放射用水熱交換器１１３によって冷却又は加温する。また、放射対流併用空調機１１は、ポンプ１４
１を用いて冷熱媒を送水路１４へ送る。送水路１４は、ポンプ１４１によって送られる冷熱媒の温度を計測する流出水温度センサ１４２を備えている。なお、流出水温度センサ１４２は送水経路上に存在すればよく、放射対流併用空調機１１が、流出水温度センサ１４２を備えるようにしてもよい。また、空気熱交換器１１２及び放射用水熱交換器１１３は、圧縮機１１５、図示していない膨張弁、外部熱源との熱交換器等と接続され、冷凍サイクル１１６を形成する。空気熱交換器１１２及び放射用水熱交換器１１３は、上流側に空気熱交換器、下流側に放射用水熱交換器となるように直列に接続され、各熱交換器に熱が供給される。
【００２３】
また、放射対流併用空調機１１は、制御部１１４を有している。制御部１１４は、例えばマイクロコントローラを含み、放射空調システム１の動作を制御する。また、制御部１１４は、各センサと接続されており、各センサが計測したデータを継続的に取得する。また、制御部１１４は、送風機１１１及びポンプ１４１とも接続され、送風機１１１の出力（風量）や、ポンプ１４１の出力（送水量）を制御する。また、制御部１１４は、室２内のコントローラ２２と有線又は無線で接続され、起動若しくは停止、又は目標温度等の入力を受ける。そして、制御部１１４は、目標温度等と各センサを介して取得した温度及び湿度とを用いて圧縮機１１５の運転周波数を変更し、熱交換器の出力を制御する。
【００２４】
送風路１３及び送水路１４は、それぞれ放射パネル１５と接続されている。放射パネル１５は、放射空調に用いられるパネルであり、放射パネル１５の表面及び裏面の間（パネルの内部）に、冷熱媒である冷水又は温水が通過する流路１５１を有する。また、放射パネル１５は、表面と裏面とを貫通する空気の通気孔１５２を有する。なお、冷熱媒の流路１５１と空気の通気孔１５２とは互いに区画されている。また、放射パネル１５は、例えば天井への埋め込み又は天井からの吊り下げによって室２内に設けられ、室２内の空気と放射によって熱交換を行う。なお、送風路１３を介して放射パネル１５に送られる調和空気は、空気方式で放射パネル１５による放射空調を行うものであるとともに、通気孔１５２を介して流速の低い対流空調を行うものという側面もある。
【００２５】
＜放射パネル＞
図２は、放射パネル１５の一例を模式的に示す斜視図である。また、図３は、放射パネル１５の一例を模式的に示す断面図である。放射パネル１５は、２枚の金属板を、内部に空洞が形成されるように重ねたパネルである。放射パネル１５の内部には、冷熱媒が通過する流路１５１を有し、冷熱媒の流入口１５３及び流出口１５４を有する。図２の例では、流入口１５３及び流出口１５４は、放射パネル１５のほぼ対向する位置に設けられているが、このような例には限られない。また、放射パネル１５は、表面及び裏面を貫通する空気の通気孔１５２を複数有している。すなわち、流路１５１の形状は、内部が通気孔１５２である複数の柱を有する、ほぼ直方体となっている。なお、通気孔１５２は、放射パネル１５のほぼ全面にわたって設けられていることが好ましい。後述するように放射パネル１５の表面を通気孔１５２から放出する空気で覆うためには、各通気孔１５２の間隔を短くして通気孔１５２の数を増やすことが好ましい。また、放射パネル１５の面積に対する通気孔１５２の開口率も、例えば、通気孔１５２からの空気の噴流が室２内の空気を放射パネル１５の表面にできるかぎり誘引しないように適宜設計するようにする。また、放射パネル１５は、送風路１３から各通気孔１５２へ空気を漏れなく送るためのカバー１５５（図３に図示）を備えていてもよい。カバー１５５を備える場合、カバー１１５によって放射パネル１５の一方の面（例えば、裏面）をさらに覆うようにチャンバー（空気室）が形成され、送風路１３から送られてくる空気がチャンバーにおいて複数の通気孔１５２へ分岐する。このように、本実施形態に係る放射パネル１５は、水式及び空気式を併用可能となっている。
【００２６】
図４Ａは、本実施形態に係る放射パネル１５の製造方法を説明するための図である。図
４Ａは、１つの通気孔１５２とその周辺を表す断面図である。放射パネル１５は、２枚の金属板を圧着することにより形成される。第１及び第２の板には、絞り（深絞り）加工により円錐台形状の凹部が複数設けられている。なお、図４Ａにおいて一点鎖線は、パンチを用いてプレスする方向を示している。また、各凹部の底面には、第１及び第２の板の対応する位置に穴が設けられている。凹部の深さは、例えば５ｍｍ程度であるが、このような例には限られない。また、穴は、例えば直径１０ｍｍ程度の円形であるが、このような例には限られない。そして、穴の位置を合わせて第１の板の凹部の底面と第２の板の凹部の底面とが圧着される。また、放射パネル１５の縁は、例えば圧着したり、溶接したりする。このようにして、第１の板と第２の板との間に、冷熱媒を直接通過させることのできる流路１５１が形成されるとともに、第１の板と第２の板とを貫通する通気孔１５２が設けられる。なお、穴の開いていない第１の板と穴の開いていない第２の板とを圧着した後に貫通孔１５２を形成するようにしてもよい。また、放射パネル１５の通気孔１５２の開口率と吹出す空気の量とのバランスにより、通気孔１５２から偏りなく空気を吹き出すようにしてもよい。
【００２７】
なお、放射パネル１５は、一方の板に絞り加工を施すことで通気孔１５２を形成するようにしてもよい。図４Ｂは、他の例に係る放射パネル１５の製造方法を説明するための図である。図４Ｂの例では、第１の板には絞り加工により円錐台形状の凹部が設けられている。また、第２の板は、平面形状であり、第１の板の穴と対応する位置に穴が設けられている。このような構成であっても、第１の板と第２の板との間に、冷熱媒を直接通過させることのできる流路１５１が形成されるとともに、第１の板と第２の板とを貫通する通気孔１５２が設けられる。この場合、凹部が設けられた板を、放射パネル１５の表側としてもよいし、裏側としてもよい。
【００２８】
＜作用＞
次に、図５を用いて放射空調システム１の作用を説明する。図５は、放射空調システム１の起動後における室２内の空気の状態を模式的に示した図である。冷房運転の場合、放射対流併用空調機１１は、室２内から取り入れた２７．０℃ＤＢ、５０％ＲＨの空気を、空気熱交換器１１２を用いて冷却及び除湿する。そして、放射対流併用空調機１１は、１２．０℃ＤＢ、９０％ＲＨの空気にして送風路１３及び放射パネル１５を通して室２内の上層（空気層Ａ）に送風する。ここで、１２．０℃ＤＢ、９０％ＲＨの流出空気の露点温度は、湿り空気線図によれば、１０．４１℃である。また、放射パネル１５からの流出空気は、室２内の空気と徐々に混合する。室２内の中層（空気層Ｂ）は、流出空気と室内空気が５０％ずつ混合した混合空気を含む。すなわち、混合空気は、例えば、１９．５℃ＤＢ、６７％ＲＨであり、露点温度は１３．２１℃である。また、室２内の下層（空気層Ｃ）は、放射空調システム１の起動時の室内空気である。室内空気は、上記の通り２７．０℃ＤＢ、５０％ＲＨであり、露点温度は１５．７℃である。また、放射対流併用空調機１１は、例えば１０℃の水を送水路１４に送水する。このとき、送水路１４での熱ロスを少なく見積もっても、例えば放射パネル１５の表面温度は１２℃程度になる。ここで、放射パネル１５の表面温度を１２℃程度まで下げても、室２内の上層Ａの流出空気の露点温度は１０．４１℃であるため、放射パネル１５は結露しない。上流側に、流出空気の露点温度に影響する空気熱交換器１１２、下流側に、放射パネル１５の表面温度に影響する放射用水熱交換器１１３となるように、冷凍サイクルにおいて直列に接続することで、放射パネル１５から吹き出す空気の露点温度は放射パネル１５の表面温度よりも高くなる。また、本実施形態では、外気を取り入れるのでなく室２内の吸気口２１から取り入れた室内空気を循環させるため、流出空気の露点温度を上記のような温度まで下げることができる。
【００２９】
結露対処なしで室内に放射パネルを設置する場合、従来は、室内空気の露点温度よりも放射パネルの表面温度が高くなるように制御して結露を抑制していた。例えば、露点温度が１５．７℃の場合、安全をみて送水温度を１６℃とすると、送水管の熱ロスにより放射
パネル温度は２０℃程度になる。一方、本実施形態に係る放射空調システム１は、放射パネル１５を貫通するように複数設けられた通気孔１５２から冷却及び除湿された空気を流すことで、放射パネル１５の周囲を露点温度の低い空気で包み、放射パネル１５の表面温度を室内空気の露点温度よりも下げても結露を抑制することが可能となっている。
【００３０】
次に、放射パネル１５の吸熱量について説明する。放射パネル１５の表面温度と周囲の温度との差に応じて、放射パネル１５の吸熱量は変わる。室２内の各表面の放射率が０．９の場合、吸熱量ｑｒ［Ｗ／ｍ2］は、次の数１で近似的に算出できる。
【数１】
2015105787.tif 000003
なお、ｔｐは放射パネルの表面温度［℃］、ｔｕは非パネル面（放射パネル以外の面）の平均温度［℃］であり、５．６７×１０-8［Ｗ／ｍ2・Ｋ4］は、ステファン・ボルツマン定数である。
【００３１】
上記の数式によれば、ｔｐが１６℃、ｔｕが２７℃の場合、ｑｒは−５６．４Ｗ／ｍ2
と算出される。なお、マイナスの値は吸熱を意味する。また、ｔｐが２０℃、ｔｕが２７℃の場合、ｑｒは−３７．３Ｗ／ｍ2と算出される。すなわち、ｔｐが１６℃の場合の吸
熱量は、ｔｐが２０℃の場合の吸熱量と比較して１．５１倍増加している。よって、表面温度が１６℃の放射パネルは、表面温度が２０℃の放射パネルの１／１．５１倍の面積であっても、同等の吸熱量となる。したがって、上記の温度設定の場合は、放射パネルの面積を３４％小型化でき、放射パネルの製造にかかるコストを削減できる。
【００３２】
また、快適性を評価するための温熱環境評価指数として、ＰＭＶ（Predicted Mean Vote：予測温冷感申告）が定義されている。ＰＭＶ値は、室温、平均放射温度、気流、湿度
、代謝量、及び着衣量といった要素に基づいて算出される。また、ＰＭＶ値が−０．５から＋０．５の間であれば、９０％の人にとって快適であるとされている。仮に、代謝量が１．１、着衣量が０．６、室温が２７℃、平均放射温度が２５℃の場合において、水式放射を採用して気流が０ｍ／ｓ、湿度が５０％のときは、ＰＭＶ値は０．４６と算出される。しかし、さらに空気式放射を併用して、気流が０．２５ｍ／ｓ、湿度が４５％、室温が２９℃、平均放射温度が２４℃になったとすると、ＰＭＶ値は０．４３になる。すなわち、室温が２７℃から２９℃に上がっても、ＰＭＶ値（すなわち、快適性）は水式放射の例とほぼ変わらないため、室温が高めであっても快適性はほぼ変わらないといえる。
【００３３】
また、放射空調システム１は、放射対流併用空調機１１と水式及び空気式を併用可能な放射パネル１５とを採用することにより、空調機の送風路１３（例えば、送風ダクト）及び送水路１４（例えば、送水配管）の接続が容易になり、施工性が向上する。
【００３４】
＜制御方法＞
図６Ａ及び図６Ｂは、放射空調システム１の冷房運転を制御する方法の一例を示す処理フロー図である。放射対流併用空調機１１の制御部１１４は、コントローラ２２から運転開始の指示を受けると、図６Ａ及び図６Ｂに示すような処理を行う。なお、制御部１１４は、吸込温度、吸込湿度、吹出温度、吹出湿度、流出水温度、室内温度等を、各種センサを介して継続的に取得したり、ポンプの送水量、冷房能力（出力）等を変更したりする。なお、本実施形態では、放射対流併用空調機１１の冷房能力（出力）は、圧縮機１１５の運転周波数で制御される。
【００３５】
まず、制御部１１４は、立ち上がり運転中であるか判断する（図６Ａ：Ｓ１）。ここで、運転開始から所定時間を立ち上がり時間とし、放射空調システム１は、運転開始後所定
時間が経過するまで立ち上がり運転を行う。立ち上がり運転中であると判断された場合（Ｓ１：ＹＥＳ）、制御部１１４は、送風機１１１の回転を高速（Ｈ）に設定する。立ち上がり運転では出力を大きくすることで、空調対象を速やかに目標温度に近づけることができる。その後、処理はＳ８へ遷移する。
【００３６】
立ち上がり運転中でないと判断された場合（Ｓ１：ＮＯ）、制御部１１４は、流出水温度センサ１４２が取得した流出温度と室内露点温度とを比較し、流出温度＋１℃≦室内露点温度であるか判断する（Ｓ３）。なお、室内露点温度は、吸込空気温度センサ１２１及び吸込空気湿度センサ１２２が取得する吸込温度及び吸込湿度に基づいて求めることができる。流出温度＋１℃≦室内露点温度である場合（Ｓ３：ＹＥＳ）、制御部１１４は、送風機の回転を高速（Ｈ）に設定する（Ｓ４）。その後、処理はＳ８に遷移する。
【００３７】
一方、流出温度＋１℃≦室内露点温度でない場合（Ｓ３：ＮＯ）、制御部１１４は、流出温度−１℃≦室内露点温度であるか判断する（Ｓ５）。流出温度−１℃≦室内露点温度である場合（Ｓ５：ＹＥＳ）、制御部１１４は、送風機の回転を中速（Ｍ）に設定する（Ｓ６）。その後、処理はＳ８へ遷移する。
【００３８】
また、流出温度−１℃≦室内露点温度でない場合（Ｓ５：ＮＯ）、制御部１１４は、送風機の回転を低速（Ｌ）に設定する（Ｓ７）。その後、処理はＳ８へ遷移する。
【００３９】
Ｓ２、Ｓ４、Ｓ６又はＳ７の後、制御部１１４は、吸込空気温度センサ１２１が取得した吸込温度と設定された目標温度とを比較し、目標温度＋３℃≦吸込温度であるか判断する（図６Ｂ：Ｓ８）。目標温度＋３℃≦吸込温度である場合（Ｓ８：ＹＥＳ）、制御部１１４は、高い出力で放射対流併用空調機１１を稼働させる（Ｓ９）。具体的には、制御部１１４は、圧縮機１１５の運転周波数を例えば４０Ｈｚ以上に設定する。その後、処理はＳ１５へ遷移する。
【００４０】
一方、目標温度＋３℃≦吸込温度でない場合（Ｓ８：ＮＯ）、制御部１１４は、目標温度＋１℃≦吸込温度であるか判断する（Ｓ１０）。目標温度＋１℃≦吸込温度である場合（Ｓ１０：ＹＥＳ）、制御部１１４は、中程度の出力で放射対流併用空調機１１を稼働させる（Ｓ１１）。具体的には、制御部１１４は、圧縮機１１５の運転周波数を２０Ｈｚ以上４０Ｈｚ未満に設定する。その後、処理はＳ１５へ遷移する。
【００４１】
また、目標温度＋１℃≦吸込温度でない場合（Ｓ１０：ＮＯ）、制御部１１４は、目標温度−１℃＜吸込温度、又は５０％＜吸込湿度であるか判断する（Ｓ１２）。目標温度−１℃＜吸込温度、又は５０％＜吸込湿度である場合（Ｓ１２：ＹＥＳ）、制御部１１４は、低い出力で放射対流併用空調機１１を稼働させる（Ｓ１３）。具体的には、制御部１１４は、圧縮機１１５の運転周波数を例えば１０Ｈｚ以上２０Ｈｚ未満に設定する。その後、処理はＳ１５へ遷移する。
【００４２】
一方、標温度−１℃＜吸込温度でなく、且つ５０％＜吸込湿度でない場合、制御部１１４は、最低レベルの出力で放射対流空調機１１を稼働させる（Ｓ１４）。具体的には、制御部１１４は、圧縮機１１５の運転周波数を例えば１０Ｈｚ未満に設定する。その後、処理はＳ１５へ遷移する。
【００４３】
Ｓ９、Ｓ１１、Ｓ１３又はＳ１４の後、制御部１１４は、流出水温度センサ１４２が取得した目標温度と吸込温度とを比較し、目標温度−１℃＞吸込温度であるか判断する（Ｓ１５）。目標温度−１℃＞吸込温度である場合（Ｓ１５：ＹＥＳ）、制御部１１４は、ポンプ１４１が放射パネル１５へ送る水の流量を減少させる（Ｓ１６）。例えば、制御部１１４はポンプ１４１の流量を０．８倍とし、処理はＳ１５に遷移する。一方、目標温度−
１℃＞吸込温度でない場合（Ｓ１５：ＮＯ）、制御部１１４は、処理を終了するか判断する（Ｓ１７）。例えば、コントローラ２２を介して運転の停止を指示された場合、処理を終了すると判断し（Ｓ１７：ＹＥＳ）、冷房運転を終了する。また、処理を終了しないと判断された場合（Ｓ１７：ＮＯ）、処理はＳ８に戻る。さらに、目標温度−１℃＞吸込温度でない場合（Ｓ１５：ＮＯ）、ポンプ１４１の流量が所定の閾値以下であれば、増加させるようにしてもよい。
【００４４】
Ｓ１及びＳ２の処理は、運転開始時の立ち上がり時間を短縮するための制御である。立ち上がり時に通気孔１５２から吹き出す空気の量を増加させるように制御するため、負荷の変動に早急に対処できる空気式（対流式）の特性を活かして、運転開始から快適な状態になるまでの時間を短縮できるようになる。
【００４５】
また、Ｓ３からＳ７までの処理は、放射パネル１５の表面温度（流路１５１を通過する水の温度）よりも室２内の空気の露点温度の方が高いほど、空気熱交換器１１２で流路１５１を通過する水の温度より低い露点温度まで除湿された空気が、通気孔１５２から多く放出されるように制御するものである。なお、具体的な送風機１１１の回転数は、適宜決定することができる。図６Ａのようにすれば、放射パネル１５の結露を抑制できる範囲内で、ドラフト気流による不快感を抑制することができる。
【００４６】
Ｓ８からＳ１４の処理は、室２内の温度と目標温度との差が大きいほど圧縮機１１５の出力を上げて冷房運転を行うものである。なお、圧縮機１１５の具体的な運転周波数は、上記の例に限定されない。また、負荷が大きいほど放射パネル１５の表面温度（流路１５１を通過する水の流出温度）が低くなるように制御される。そして、上述の通り、Ｓ３〜Ｓ７の処理を通じて、流出温度が低い場合には通気孔から吹き出す空気の量が増加するように制御される。よって、Ｓ３〜Ｓ１４の処理によれば、負荷の変動に早急に対応可能であるという空気式（対流式）の特性を活かして、例えば機器の運転開始から快適な状態になるまでの時間や負荷の変動に対応するまでの時間を短縮できるようになる。また、ユーザが設定した温度に近い状態においては、気流によるドラフトや騒音を抑え、放射を主体とした運転を行う。すなわち、熱容量が大きくて搬送動力が小さく温度変化の少ない水と、搬送動力は大きいが負荷を急速に冷却可能な空気とを状況に応じて制御することにより、それぞれの特性を活かして相乗効果を得ることができる。
【００４７】
また、Ｓ１５及びＳ１６の処理は、室２内の温度が目標温度範囲よりも低くなった場合に、放射パネルを流れる水の流量を下げるように制御するものである。このようにすれば、低負荷時に放射パネルの冷房能力を下げて、室２内の冷え過ぎを防ぐとともに、ポンプの運転電力を低減することができる。
【００４８】
図７Ａ及び図７Ｂは、放射空調システム１の暖房運転を制御する方法の一例を示す処理フロー図である。放射対流併用空調機１１の制御部１１４は、コントローラ２２から運転開始の指示を受けると、図７Ａ及び図７Ｂに示すような処理を行う。
【００４９】
まず、制御部１１４は、立ち上がり運転中であるか判断する（図７Ａ：Ｓ２１）。暖房運転時においても、運転開始から所定時間を立ち上がり時間とし、放射空調システム１は、運転開始後所定時間が経過するまで立ち上がり運転を行う。立ち上がり運転中であると判断された場合（Ｓ２１：ＹＥＳ）、制御部１１４は、送風機１１１の回転を高速（Ｈ）に設定する。その後、処理はＳ２８へ遷移する。
【００５０】
立ち上がり運転中でないと判断された場合（Ｓ２１：ＮＯ）、制御部１１４は、流出水温度センサ１４２が取得した流出温度と室内温度とを比較し、流出温度−３℃≧室内温度であるか判断する（Ｓ２３）。流出温度−３℃≧室内温度である場合（Ｓ２３：ＹＥＳ）
、制御部１１４は、送風機の回転を高速（Ｈ）に設定する（Ｓ２４）。その後、処理はＳ２８に遷移する。
【００５１】
一方、流出温度−３℃≧室内温度でない場合（Ｓ２３：ＮＯ）、制御部１１４は、流出温度−１℃≧室内温度であるか判断する（Ｓ２５）。流出温度−１℃≧室内温度である場合（Ｓ２５：ＹＥＳ）、制御部１１４は、送風機の回転を中速（Ｍ）に設定する（Ｓ２６）。その後、処理はＳ２８へ遷移する。
【００５２】
また、流出温度−１℃≧室内温度でない場合（Ｓ２５：ＮＯ）、制御部１１４は、送風機の回転を低速（Ｌ）に設定する（Ｓ２７）。その後、処理はＳ２８へ遷移する。
【００５３】
Ｓ２２、Ｓ２４、Ｓ２６又はＳ２７の後、制御部１１４は、吸込空気温度センサ１２１が取得した吸込温度と設定された目標温度とを比較し、吸込温度≦目標温度−３℃であるか判断する（図７：Ｓ２８）。吸込温度≦目標温度−３℃である場合（Ｓ２８：ＹＥＳ）、制御部１１４は、高い出力で放射対流併用空調機１１を稼働させる（Ｓ２９）。具体的には、制御部１１４は、圧縮機１１５の運転周波数を例えば４０Ｈｚ以上に設定する。その後、処理はＳ３５へ遷移する。
【００５４】
一方、吸込温度≦目標温度−３℃でない場合（Ｓ２８：ＮＯ）、制御部１１４は、吸込温度≦目標温度−１℃であるか判断する（Ｓ３０）。吸込温度≦目標温度−１℃である場合（Ｓ３０：ＹＥＳ）、制御部１１４は、中程度の出力で放射対流併用空調機１１を稼働させる（Ｓ３１）。具体的には、制御部１１４は、圧縮機１１５の運転周波数を２０Ｈｚ以上４０Ｈｚ未満に設定する。その後、処理はＳ３５へ遷移する。
【００５５】
また、吸込温度≦目標温度−１℃でない場合（Ｓ３０：ＮＯ）、制御部１１４は、吸込温度＜目標温度であるか判断する（Ｓ３２）。吸込温度＜目標温度である場合（Ｓ３２：ＹＥＳ）、制御部１１４は、低い出力で放射対流併用空調機１１を稼働させる（Ｓ３３）。具体的には、制御部１１４は、圧縮機１１５の運転周波数を例えば１０Ｈｚ以上２０Ｈｚ未満に設定する。その後、処理はＳ３５へ遷移する。
【００５６】
一方、吸込温度＜目標温度でない場合（Ｓ３２：ＮＯ）、制御部１１４は、最低レベルの出力で放射対流空調機１１を稼働させる（Ｓ３４）。具体的には、制御部１１４は、圧縮機１１５の運転周波数を例えば１０Ｈｚ未満に設定する。その後、処理はＳ３５へ遷移する。
【００５７】
Ｓ２９、Ｓ３１、Ｓ３３又はＳ３４の後、制御部１１４は、吸込温度＞目標温度＋１℃であるか判断する（Ｓ３５）。吸込温度＞目標温度＋１℃である場合（Ｓ３５：ＹＥＳ）、制御部１１４はポンプ１４１が放射パネル１５へ送る水の量を減少させる（Ｓ３６）。例えば、制御部１１４は、ポンプ１４１から送り出される水の流量を０．８倍し、処理はＳ３５へ遷移する。
【００５８】
一方、吸込温度＞目標温度＋１℃でない場合（Ｓ３５：ＮＯ）、制御部１１４は、処理を終了するか判断する（Ｓ３７）。例えば、コントローラ２２を介して運転の停止を指示された場合、処理を終了すると判断し（Ｓ３７：ＹＥＳ）、暖房運転を終了する。また、処理を終了しないと判断された場合（Ｓ３７：ＮＯ）、処理はＳ２１に戻る。なお、吸込温度＞目標温度＋１℃でない場合（Ｓ３５：ＮＯ）、ポンプ１４１の流量が所定の閾値以下であれば、増加させるようにしてもよい。
【００５９】
Ｓ２１及びＳ２２の処理は、運転開始時の立ち上がり時間を短縮するための制御である。立ち上がり時に通気孔から吹き出す空気の量を増加させる制御を行うため、負荷の変動
に早急に対処できる空気式（対流式）の特性を活かして、運転開始から快適な状態になるまでの時間を短縮できるようになる。
【００６０】
また、Ｓ２３からＳ２７までの処理は、放射パネル１５の表面温度（流路１５１を通過する水の温度）が室２内の空気の温度と比較して高いほど、空気熱交換器１１２で加熱された空気が、通気孔１５２から通常よりも多く吹き出すように制御するものである。なお、具体的な送風機１１１の回転数は、適宜決定することができる。図７Ａのようにすれば、室温よりも放射パネル付近（すなわち、室２のうち天井側の空間）に滞留する高温の空気を室２内（室２のうち床面側の空間）に拡散させることができ、空間的な上下の温度差が大きい際にユーザに与える不快感を低減させることができる。
【００６１】
さらに、図７ＡのＳ２１において、室２の空間的な上下での温度差が所定の閾値以上の場合にもＳ２２へ遷移して送風機１１１の回転を高速（Ｈ）にするようにしてもよい。上下温度差は、例えば室２内の室温センサ２３が計測した温度と、天井に設けられた吸込口２１から吸い込んだ空気の温度を計測する吸込温度センサ１２１の吸込温度との差を算出することにより求めてもよいし、室２の上下にセンサを設けて求めるようにしてもよいもよい。このようにすることでも、対流効果により、空間的な上下で温度差が大きい際にユーザに与える不快感を低減させることができる。
【００６２】
Ｓ２８からＳ３４の処理は、室２内の温度と目標温度との差が大きいほど出力を上げて暖房運転を行うものである。なお、具体的な圧縮機１１５の運転周波数は、上記の例に限定されない。また、負荷が大きいほど通気孔から吹き出す空気の温度及び放射パネル１５の表面温度（すなわち、流路１５１を通過する水の流出温度）が高くなるように制御される。また、流出温度が高くなることにより、Ｓ２３からＳ２７の処理を通じて通気孔から吹き出す空気の量が増加するように制御される。このような制御により、負荷の変動に早急に対処できる空気式（対流式）の特性を活かして、運転開始から快適な状態になるまでの時間を短縮できるようになる。また、ユーザが設定した温度に近い状態においては、気流によるドラフトや騒音を抑え、放射を主体とした運転を行う。すなわち、熱容量が大きくて搬送動力が小さく温度変化の少ない水と、搬送動力は大きいが負荷を急速に加熱可能な空気とを状況に応じて制御することにより、それぞれの特性を活かして相乗効果を得ることができる。
【００６３】
また、Ｓ３５及びＳ３６の処理は、室２内の温度が目標温度範囲よりも高くなった場合に、放射パネルを流れる水の流量を下げるように制御するものである。このようにすれば、低負荷時に放射パネルの暖房能力を下げて、室２内の過熱を防ぐとともに、ポンプの運転電力を低減することができる。
【００６４】
なお、制御部１１４は、図６に示した冷房運転と図７に示した暖房運転とを自動的に切り替えるようにしてもよい。例えば、制御部１１４は、吸込温度と目標温度とを比較し、目標温度の方が低い場合は冷房運転を実行させ、目標温度の方が高い場合は暖房運転を実行させる。
【００６５】
＜第２の実施形態＞
図８は、第２の実施形態に係る放射空調システム１ａの一例を示す概略構成図である。放射空調システム１ａが備えるファンコイル１１ａは、流量調整弁１６を介して外部の熱源水を運ぶ送水管３と接続されている。そして、外部から取り入れた熱源水は、空気熱交換器１１２ａを通過した後に送水路１４を介して放射パネル１５へ送られる。また、流量調整弁１６は制御部１１４と接続されており、制御部１１４は流量調整弁１６の開度を変更することができる。すなわち、制御部１１４は、空気熱交換器１１２ａ及び放射パネル１５へ流れる熱源水の量を制御することができる。本実施形態では、上流側に、流出空気
の露点温度に影響する空気熱交換器１１２ａ、下流側に放射パネル１５となるように、熱源水の流路状において直列に接続することで、放射パネル１５から吹き出す空気の露点温度は放射パネル１５の表面温度よりも高くなる。なお、第１の実施形態に係る図１と同様の構成要素には対応する符号を付して説明を省略する。また、放射パネル１５は、第１の実施形態と同様のものを用いることができる。
【００６６】
図８の放射空調システム１ａも、図６Ａ〜図７Ｂとほぼ同様の処理を行う。ただし、Ｓ９、Ｓ１１及びＳ１３並びにＳ２９、Ｓ３１及びＳ３３において、圧縮機の運転周波数を変更するのではなく、流量調整弁１６の開度を変更することにより、ファンコイル１１ａの出力を制御する。すなわち、本実施形態では、流量調整弁１６の開度を大きくすることにより出力を上げる。このような構成であっても、第１の実施形態と同様の作用及び効果を得ることができる。
【００６７】
＜第３の実施形態＞
図９は、第３の実施形態に係る放射空調システム１ｂの一例を示す概略構成図である。放射空調システム１ｂは、放射対流併用空調機１１の代わりに、ファンコイル１１ｂを用いる。また、放射空調システム１ｂは、外部の熱源水を運ぶ送水管３と接続されており、ポンプ３１を用いて外部の熱源水を空気熱交換器１１２ｂに取り入れる。なお、第１の実施形態に係る図１と同様の構成要素には対応する符号を付して説明を省略する。また、図８の構成と比較すると、図９の構成は流量調整弁１６を有していない点で異なる。
【００６８】
ファンコイル１１ｂは、吸気路１２を介して室２内から空気を取り入れる。また、ファンコイル１１ｂは、空気熱交換器１１２ｂを有しており、室２内から取り入れた空気と外部から取り入れた熱源水との間で熱交換を行う。また、ファンコイル１１ｂは、送風機１１１を有しており、空気熱交換器１１２ｂを通した空気を送風路１３へ送る。送風路１３は、ファンコイル１１ｂと放射パネル１５とを接続している。また、ファンコイル１１ｂと放射パネル１５とが送水路１４によっても接続されており、空気熱交換器１１２ｂを通過した熱源水が放射パネル１５へ送られる。なお、放射パネル１５は、第１の実施形態と同様のものを用いることができる。
【００６９】
＜作用及び効果＞
例えば、冷房運転時の室２内の空気は、２７℃ＤＢ、５０％ＲＨであり、露点温度は１５．７℃であるものとする。また、外部からの熱源水は、７℃で空気熱交換器１１２ｂに導入されるものとする。この場合、例えば、送風路１３に送られる空気は、１２℃ＤＢ、９０％ＲＨであり、露点温度は１０．４１℃となる。また、例えば、送水路１４に送られる水は１２℃となる。よって、本実施形態に係る放射空調システム１ｂの場合も、放射パネル１５の結露が抑制される。なお、放射パネル１５を通過後の水は、例えば１７℃に上昇して冷凍機に戻る。このような構成でも、放射パネル１５の結露を抑制できる。
【００７０】
また、例えば、暖房運転時の室２内の空気は、２０℃ＤＢ、５０％ＲＨであるものとする。また、外部からの熱源水は、４０℃で空気熱交換器１１２ｂに導入されるものとする。この場合、例えば、送風路１３に送られる空気は３５℃、送水路１４に送られる水も３５℃となる。本実施形態に係る放射空調システム１ｂも、対流効果により快適性が損なわれることを抑制しつつ高温での運転が可能となる。
【００７１】
＜制御方法＞
図１０は、放射空調システム１ｂの冷房運転を制御する方法の一例を示す処理フロー図である。ファンコイル１１ｂの制御部１１４は、コントローラ２２から運転開始の指示を受けると、図１０に示すような処理を行う。なお、制御部１１４は、吸込温度、吸込湿度、吹出温度、吹出湿度、流出水温度、室内温度等を、各種センサを介して継続的に取得し
たり、送風機１１１の出力等を変更したりする。
【００７２】
まず、制御部１１４は、吸込空気温度センサ１２１が取得した吸込温度と設定された目標温度とを比較し、目標温度＋３℃≦吸込温度であるか判断する（図１０：Ｓ４１）。目標温度＋３℃≦吸込温度である場合（Ｓ４１：ＹＥＳ）、制御部１１４は、高い出力で送風機１１１を稼働させる（Ｓ４２）。具体的には、制御部１１４は、送風機１１１の回転を高速（Ｈ）に設定する。その後、処理はＳ４５へ遷移する。
【００７３】
一方、目標温度＋３℃≦吸込温度でない場合（Ｓ４１：ＮＯ）、制御部１１４は、目標温度−１℃≦吸込温度であるか判断する（Ｓ４３）。目標温度−１℃≦吸込温度である場合（Ｓ４３：ＹＥＳ）、制御部１１４は、中程度の出力で送風機１１１を稼働させる（Ｓ４４）。具体的には、制御部１１４は、送風機１１１の回転を中速（Ｍ）に設定する。その後、処理はＳ４５へ遷移する。
【００７４】
また、目標温度−１℃≦吸込温度でない場合（Ｓ４３：ＮＯ）、又はＳ４２若しくはＳ４４の後、制御部１１４は、流出水温度センサ１４２が取得した流出温度と吹出露点温度とを比較し、流出温度≦吹出露点温度であるか判断する（Ｓ４５）。なお、吹出露点温度は、吹出空気温度センサ１３１及び吹出空気湿度センサ１３２が取得する温度及び湿度に基づいて求めることができる。流出温度≦吹出露点温度である場合（Ｓ４５：ＹＥＳ）、制御部１１４は、送風機１１１の回転を高速（Ｈ）に設定する（Ｓ４６）。その後、処理はＳ４１に戻る。一方、流出温度≦吹出露点温度でない場合（Ｓ４５：ＮＯ）、制御部１１４は、送風機１１１の回転を中速（Ｍ）に設定する（Ｓ４７）。その後、制御部１１４は、目標温度−１℃＜吸込温度、又は５０％＜吸込湿度であるか判断する（Ｓ４８）。目標温度−１℃＜吸込温度、又は５０％＜吸込湿度である場合（Ｓ４８：ＹＥＳ）、制御部１１４は、送風機１１１の回転を低速（Ｌ）に設定する（Ｓ４９）。その後、制御部１１４は、処理を終了するか判断する（Ｓ５０）。例えば、コントローラ２２を介して運転の停止を指示された場合、処理を終了すると判断し（Ｓ５０：ＹＥＳ）、冷房運転を終了する。一方、処理を終了しないと判断された場合（Ｓ５０：ＮＯ）、処理はＳ４１に戻る。
【００７５】
本実施形態では、室２内の温度と目標温度との差が大きい場合も、放射パネル１５の表面温度よりも、放射パネル１５の周囲の空気の露点温度の方が低くなるように制御する場合も、送風機１１１の回転数を上げることで対応する。このような構成及び制御によっても、放射パネル１５の表面温度を室２内の空気の露点温度よりも下げても、放射パネル１５の結露を抑制できるようになる。
【００７６】
また、空調負荷が減少した場合に送風機１１１の回転数を下げても、放射冷却の効果により快適性は保たれる。ファンコイル１１ｂの空気熱交換器１１２ｂで空気と熱交換した後の熱源水を用いて、放射パネル１５でさらに放射冷却できるので、ファンコイルの能力及び放射パネルの能力の両者を利用できる。よって、ファンコイルを用いた空気式の放射空調と比較すると、ファンコイルの容量を小さくしても全体として同等の能力を担保できるとともに、ファンコイルの容量を小さくすることでコストを低減できる。
【００７７】
図１１は、放射空調システム１ｂの暖房運転を制御する方法の一例を示す処理フロー図である。ファンコイル１１ｂの制御部１１４は、コントローラ２２から運転開始の指示を受けると、図１１に示すような処理を行う。
【００７８】
まず、制御部１１４は、吸込空気温度センサ１２１が取得した吸込温度と設定された目標温度とを比較し、吸込温度≦目標温度−３℃であるか判断する（図１１：Ｓ５１）。吸込温度≦目標温度−３℃である場合（Ｓ５１：ＹＥＳ）、制御部１１４は、送風機１１１の回転を高速（Ｈ）に設定する。（Ｓ５２）。その後、処理はＳ５６へ遷移する。
【００７９】
一方、吸込温度≦目標温度−３℃でない場合（Ｓ５１：ＮＯ）、制御部１１４は、吸込温度≦目標温度＋１℃であるか判断する（Ｓ５３）。吸込温度≦目標温度＋１℃である場合（Ｓ５３：ＹＥＳ）、制御部１１４は、送風機の回転を中速（Ｍ）に設定する（Ｓ５４）。その後、処理はＳ５６へ遷移する。
【００８０】
また、吸込温度≦目標温度＋１℃でない場合（Ｓ５３：ＮＯ）、制御部１１４は、送風機１１１の回転を低速（Ｌ）に設定する（Ｓ５５）。その後、制御部１１４は、処理を終了するか判断する（Ｓ５６）。例えば、コントローラ２２を介して運転の停止を指示された場合、処理を終了すると判断し（Ｓ５６：ＹＥＳ）、暖房運転を終了する。一方、処理を終了しないと判断された場合（Ｓ５６：ＮＯ）、処理はＳ５１に戻る。
【００８１】
上記処理は、室２内の温度と目標温度との差が大きいほど送風機１１１の回転数を上げて暖房運転を行うものである。なお、具体的な条件として示した値は、上記の例に限定されない。また、負荷が大きいほど通気孔から吹き出す空気の量も増加するように制御されるため、放射パネル１５が高温になるほど対流効果を向上させることができる。また、空調負荷が減少した場合に送風機１１１の回転数を下げても、放射暖房の効果により快適性は保たれる。
【００８２】
なお、本実施形態においても、制御部１１４は、図１０に示した冷房運転と図１１に示した暖房運転とを自動的に切り替えるようにしてもよい。例えば、制御部１１４は、吸込温度と目標温度とを比較し、目標温度の方が低い場合は冷房運転を実行させ、目標温度の方が高い場合は暖房運転を実行させる。
【００８３】
＜第４の実施形態＞
図１２は、第４の実施形態に係る放射空調システム１ｃの一例を示す概略構成図である。放射空調システム１ｃは、流量調整弁１６の代わりに、外部の熱源水の流路を、空気熱交換器１１２ｃ又は放射パネル１５のいずれかに切り替えることができる切替三方弁１７を備えている点で、図８に示した放射空調システム１ａとは異なっている。図１２では、図８と同様の構成要素には対応する符号を付し、以下では差異を中心に説明する。
【００８４】
＜制御方法＞
図１３は、放射空調システム１ｃの冷房運転を制御する方法の一例を示す処理フロー図である。なお、Ｓ６１からＳ６６及びＳ６８からＳ７０は、図１０のＳ４１からＳ４６及びＳ４８からＳ５０とほぼ対応している。ただし、Ｓ６６においては、さらに切替三方弁１７を空気交換器１１２ｃ側に切り替え、図１０の例と同様の運転を行う。また、Ｓ６９においては、さらに切替三方弁１７を放射パネル１５側に切り替え、熱源水を直接放射パネル１５に導入する。Ｓ６９の処理によれば、放射パネル１５の表面温度は、Ｓ４９の場合と同程度になる。例えば、７℃の熱源水が放射パネル１５に流れる。また、２７℃ＤＢ、５０％ＲＨの室内空気を吸気口２１から取り入れ、約１２℃ＤＢ、約９０％ＲＨにして放射パネルから吹き出す。そして、放射パネル１５と室２内の空気が熱交換し、放射パネルの温度は約１２℃に上昇する。このとき、対流冷房と放射パネルの放射冷却で快適性は低下せず、放射パネル１５の結露も抑制できる。
【００８５】
図１４は、放射空調システム１ｃの暖房運転を制御する方法の一例を示す処理フロー図である。なお、Ｓ８１からＳ８７は、図１１のＳ５１からＳ５７とほぼ対応している。ただし、Ｓ８２においては、さらに切替三方弁１７を空気交換器１１２ｃ側に切り替え、図１１の例と同様の運転を行う。また、Ｓ８４においては、さらに切替三方弁１７を空気交換器１１２ｃ側に切り替え、図１１の例と同様の運転を行う。また、Ｓ８５においては、さらに切替三方弁１７を放射パネル１５側に切り替え、熱源水を直接放射パネル１５に導
入する。Ｓ８５の処理によれば、放射パネル１５の表面温度はＳ５５の場合と同程度になる。例えば、４０℃の熱源水が放射パネル１５に流れる。また、２０℃ＤＢ、５０％ＲＨの室内空気を吸気口２１から取り入れ、約３０℃ＤＢ、約３２％ＲＨにして放射パネルから吹き出す。そして、放射パネル１５と室２内の空気が熱交換し、放射パネルは約３０℃になる。熱源水が空気熱交換器を通過することで、対流暖房を行うことができるとともに、放射パネル１５を通過する熱源水の温度は下がるため、空間的な上下の温度差が大きい際にユーザに与える不快感を低減させることができ、快適性が保たれる。
【００８６】
＜パネルの変形例１＞
図１５は、変形例に係る放射パネル１５ａを示す平面図である。放射パネル１５ａは、当該放射パネル１５ａの周縁に沿ってスリット状の通気孔１５２ａを有する。上述の放射パネル１５は、複数の通気孔１５２から冷却及び除湿された空気を流すことで、放射パネル１５ａの周囲を露点温度の低い空気で包み、放射パネル１５の表面温度を室内空気の露点温度よりも下げても結露を抑制することが可能となっている。すなわち、放射パネル１５の全面にわたって通気孔１５２を設けることで、通気孔１５２からの噴流によって、露点温度の高い室内空気を放射パネル１５の表面に誘引しないようにしている。しかしながら、例えば放射パネル１５を室２の天井から吊り下げて設置する場合、通気孔１５２から流れ出す空気の流れ（噴流）が拡散し、周囲の空気を放射パネル１５の側面及び表面に誘引してしまうおそれがある。そして、放射パネル１５の側面及び表面に室２内の空気を誘引してしまうと、結露の原因となり得る。そこで、本変形例に係る放射パネル１５ａは、周縁に沿ってスリット状の通気孔１５２ａを有し、放射パネル１５ａの周縁付近に除湿された空気をより多く吹き出す。なお、放射パネル１５ａの周縁に沿って設けられたスリット状の通気孔１５２ａは、換言すれば、中心付近の通気孔１５２よりも開口面積の大きな通気孔であり、エアカーテンのように、室２内の空気を放射パネル１５ａ側に誘引しないような気流を作るものといえる。このようにすれば、放射パネル１５ａの側面に室２内の空気が誘引されるのを抑制することができる。また、室２内の空気が多少誘引された場合であっても、当該箇所においてはより多くの除湿された空気を混合させることで。結露を抑制することができる。
【００８７】
＜パネルの変形例２＞
また、スリット状の通気孔は、放射パネルの外周側に向かって切起こし曲げ加工されていてもよい。図１６は、変形例に係る放射パネル１５ｂを示す断面図である。図１７は、変形例に係る放射パネル１５ｂを示す斜視図である。本変形例では、放射パネル１５ｂの周縁付近に設けられたスリット状の通気孔１５２ｂは切起こし曲げ加工（すなわち、２回の曲げ加工）がなされ、スリット状の通気孔１５２ｂの上に空気の吹出し方向を誘導する吹出方向誘導部１５６が設けられている。吹出方向誘導部１５６により、通気孔１５２ｂは、放射パネル１５ｂの表面に沿って放射パネル１５ｂの外周方向に空気を吹出す。このようにすれば、放射パネル１５ｂの周囲を露点温度の低い空気で包むとともに、放射パネル１５ｂの側面に室２内の空気が誘引されるのを抑制できる。
【００８８】
＜パネルの変形例３＞
図１８は、変形例に係る放射パネル１５ｃを示す断面図である。放射パネル１５ｃは、各通気孔から均等に空気を吹出すよう、チャンバーに充填物１８を備える。充填物１８は、例えば多孔質体であり、送風路１３から送られてくる空気を放出する通気孔１５２に偏りが生じないよう、均一化する。このような構成によって、通気孔から吹き出す空気を均一化するようにしてもよい。
【００８９】
＜パネルの変形例４＞
放射パネルは、流路１５１の対向する端部にサプライヘッダ及びリターンヘッダを備えるようにしてもよい。図１９は、変形例に係る放射パネル１５ｄの分解斜視図である。放
射パネル１５ｄはほぼ矩形であり、放射パネル１５ｄの対辺に、流路の幅にわたって設けられ流路に偏りなく冷熱媒を流すためのサプライヘッダ１５３ａ、及び流路の幅にわたって設けられ流路１５１の流出口となるリターンヘッダ１５４ａを有する。このようにすれば、放射パネル１５ｄ内に偏りなく冷熱媒を行き渡らせることができる。
【００９０】
以上のような放射パネルの変形例は、第１の実施形態から第４の実施形態に適用することができる。また、複数の変形例に係る放射パネルの特徴を組み合わせてもよい。
【００９１】
＜その他の変形＞
上述した例では、放射パネルを天井に設置するものとして説明したが、このような構成には限定されない。例えば、放射パネルは、室２内の壁面に設けたり、床面に立てて置くようにしてもよい。本発明に係る放射パネルは結露を抑制できるため、設置場所を選択する上での制約は少なくなっているといえる。また、上記の例では、放射パネルの内部に冷熱媒を直接流すことで効率よく熱交換を行えるようにしているが、このような構成には限定されない。例えば、水が放射パネルの全面を通過するように細長い流路を形成するようにしてもよく、放射パネルの内部に冷熱媒の流路となる管を備えるようにしてもよい。
【００９２】
また、図示した処理フローも一例である。例えば、送風機１１１の回転数や放射対流併用空調機１１の出力（圧縮機の運転周波数や流量調整弁の開度）の大きさは、より多くの段階に分けて制御してもよいし、所定の温度等に基づいて無段階で（線形に）制御してもよい。
【符号の説明】
【００９３】
１、１ａ、１ｂ、１ｃ    放射空調システム
１１    放射対流併用空調機
１１ａ、１１ｂ、１１ｃ    ファンコイル
１１２、１１２ａ、１１２ｂ、１１２ｃ    空気熱交換器
１１３    放射用水熱交換器
１１４    制御部
１２    吸気路
１２１    吸込空気温度センサ
１２２    吸込空気湿度センサ
１３    送風路
１３１    吹出空気温度センサ
１３２    吹出空気湿度センサ
１４    送水路
１４１    ポンプ
１４２    流出水温度センサ
１５，１５ａ，１５ｂ，１５ｃ，１５ｄ    放射パネル
１５１    流路
１５２，１５２ａ，１５２ｂ    通気孔
１５３    流入口
１５３ａ    サプライヘッダ
１５４    流出口
１５４ａ    リターンヘッダ
１５５    カバー
１５６    吹出方向誘導部
１６    流量調整弁
１７    切替三方弁
１８    充填物
２    室
２１    吸気口
２２    コントローラ
２３    室温センサ
３    外部熱源水
３１    ポンプ
【図１】
2015105787.tif 000004
【図２】
2015105787.tif 000005
【図３】
2015105787.tif 000006
【図４Ａ】
2015105787.tif 000007
【図４Ｂ】
2015105787.tif 000008
【図５】
2015105787.tif 000009
【図６Ａ】
2015105787.tif 000010
【図６Ｂ】
2015105787.tif 000011
【図７Ａ】
2015105787.tif 000012
【図７Ｂ】
2015105787.tif 000013
【図８】
2015105787.tif 000014
【図９】
2015105787.tif 000015
【図１０】
2015105787.tif 000016
【図１１】
2015105787.tif 000017
【図１２】
2015105787.tif 000018
【図１３】
2015105787.tif 000019
【図１４】
2015105787.tif 000020
【図１５】
2015105787.tif 000021
【図１６】
2015105787.tif 000022
【図１７】
2015105787.tif 000023
【図１８】
2015105787.tif 000024
【図１９】
2015105787.tif 000025